(57)【要約】【課題】奥行寸法の小さい薄型のプロジェクタ装置を提供する。【解決手段】プロジェクタ装置は、ライトバルブ１０及び投写レンズ１１を含む光学ユニット１と、光学ユニット１からの投写光をスクリーン４に向けて反射する双曲面ミラー２とを備える。双曲面ミラー２を用いることにより、光学ユニット１の投写光への干渉を回避しつつ、画角ω１を大きくすることができる。その結果、スクリーン４と双曲面ミラー２の最遠端との距離（すなわち、プロジェクタ装置の機構部分を除く奥行寸法Ｄ）を短縮することができ、プロジェクタ装置の薄型化を実現することができる。【選択図】        図１
2004271934.tif 000002
【特許請求の範囲】
【請求項１】
光源を含み、照明光を射出する照明光学系と、前記照明光学系からの照明光を画像信号に応じて変調するライトバルブと、前記ライトバルブにより変調された光を投写する投写光学系とを有する光学ユニットと、
双曲面をなす凸状の反射面を有し、前記光学ユニットからの投写光を前記反射面により反射する反射ミラーと、
反射ミラーからの反射光が投写されるスクリーンと
を備えたことを特徴とするプロジェクタ装置。
【請求項２】
前記投写光学系と前記反射ミラーとを含む光学系の瞳位置は、前記反射ミラーの前記双曲面の第１焦点と一致していることを特徴とする請求項１に記載のプロジェクタ装置。
【請求項３】
前記投写光学系の瞳位置は、前記反射ミラーの前記双曲面の第２焦点と一致していることを特徴とする請求項１又は２に記載のプロジェクタ装置。
【請求項４】
前記スクリーンは、その面において水平軸及び垂直軸が規定され、且つ前記垂直軸の方向に寸法Ｈを有し、
前記反射ミラー及び前記光学ユニットが、前記スクリーンから、前記スクリーンに直交する方向において距離Ｄの範囲内に配置され、
前記寸法Ｈと前記距離Ｄとが
Ｄ＜０．５Ｈ
を満足することを特徴とする請求項１から３までのいずれかに記載のプロジェクタ装置。
【請求項５】
前記光学ユニットは、前記反射ミラーの下方に配置されていることを特徴とする請求項１から４までのいずれかに記載のプロジェクタ装置。
【請求項６】
前記光学ユニット、前記反射ミラー及び前記スクリーンが取り付けられた複数の前記筐体を、少なくとも上下に組み合わせることにより、マルチビジョンを構成することを特徴とする請求項５に記載のプロジェクタ装置。
【請求項７】
各筐体は、前記スクリーンの上側に、前記スクリーンの上端を収容する突出部を有し、前記スクリーンの下側に、他の筐体の前記突出部を収容可能な凹部を有することを特徴とする請求項６に記載のプロジェクタ装置。
【請求項８】
前記光学ユニット及び前記反射ミラーが、鉛直方向において、前記スクリーンの下端と上端との間に位置していることを特徴とする請求項５から７までのいずれかに記載のプロジェクタ装置。
【請求項９】
前記光学ユニットは、前記反射ミラーの下方に配置されると共に、略水平方向に光を投写するよう構成され、
前記光学ユニットの射出側に、前記光学ユニットからの投写光を前記反射ミラーに向けて反射する折り返しミラーをさらに備えたことを特徴とする請求項１から４までのいずれかに記載のプロジェクタ装置。
【発明の詳細な説明】
【０００１】
【発明の属する技術分野】
この発明は、透過型のスクリーンに画像を投影するプロジェクタ装置に関し、より詳細には、スクリーンの背後に反射ミラーを備えたプロジェクタ装置に関する。
【０００２】
【従来の技術】
従来より、ライトバルブを用いて変調した光を透過型スクリーンに背面から投写するプロジェクタ装置が知られている。この種のプロジェクタ装置では、奥行寸法（すなわち、スクリーンに直交する方向の寸法）を小さくすることで薄型化を実現するため、スクリーンの背後に平面ミラーを設け、この平面ミラーにより投写光を一旦反射させてスクリーンに投写するよう構成されている。また、２枚の反射ミラーを設けることにより、プロジェクタ装置の更なる薄型化を図っているものもある（例えば、特許文献１参照）。
【０００３】
【特許文献１】
特開平１１−３２７０４８号公報（第２−４頁、第１図）
【０００４】
【発明が解決しようとする課題】
しかしながら、１枚の平面ミラーを用いたプロジェクタ装置では、平面ミラーのスクリーンに対する傾斜が大きいと、スクリーンから平面ミラーの最遠端までの距離が増加するため奥行寸法を小さくすることができず、逆に平面ミラーをスクリーンに対して平行に近づけると、投写光学系を含む光学ユニットの投写光への干渉（ケラレ）が生じる。そのため、プロジェクタ装置の薄型化には限界がある。また、２枚の平面ミラーを用いた場合でも同様の問題があり、プロジェクタ装置の薄型化における効果は、１枚の平面ミラーを用いた場合と大差ない。
【０００５】
【発明が解決しようとする課題】
この発明は、上述のような課題を解消するためになされたもので、奥行寸法が小さい薄型のプロジェクタ装置を提供することを目的とする。
【０００６】
【課題を解決するための手段】
この発明に係るプロジェクタ装置は、光源を含み、照明光を射出する照明光学系と、前記照明光学系からの照明光を画像信号に応じて変調するライトバルブと、前記ライトバルブにより変調された光を投写する投写光学系とを有する光学ユニットと、双曲面をなす凸状の反射面を有し、前記光学ユニットからの投写光を前記反射面により反射する反射ミラーと、反射ミラーからの反射光が投写されるスクリーンとを備えて構成される。
【０００７】
【発明の実施の形態】
以下、この発明をその実施の形態を示す図面に基づいて具体的に説明する。
実施の形態１．
図１は、この発明の実施の形態１であるプロジェクタ装置の基本構成を示す側断面図である。プロジェクタ装置は、画像情報に応じて変調した光を投写する光学ユニット１と、光学ユニット１からの投写光を反射する双曲面ミラー（反射ミラー）２と、双曲面ミラー２の反射光が投写される透過型のスクリーン４とを備えている。スクリーン４は、水平方向（紙面に直交する方向）に長軸を有し、垂直方向（図中上下方向）に短軸を有する略矩形状である。以下の説明では、スクリーン４上で定義される水平方向及び垂直方向をそれぞれＸ方向及びＺ方向とする。また、スクリーン４に対して直交する方向をＹ方向とする。尚、Ｚ方向は、鉛直方向と略一致しているものとする。
【０００８】
双曲面ミラー２は、反射面（双曲面をなす凸面）を光学ユニット１及びスクリーン４側に向けて配置されている。また、双曲面ミラー２は、上方にいくほどスクリーン４に近づくように配置されている。光学ユニット１は、双曲面ミラー２の下方に配置されており、双曲面ミラー２に向けてＺ方向に光を投写するよう構成されている。
【０００９】
光学ユニット１及び双曲面ミラー２は、筐体５に収容されている。スクリーン４は、筐体５の一面に形成された開口部に嵌め込まれている。以下の説明では、筐体５のスクリーン４側（図中左側）を前方とし、その反対側を後方とする。筐体５は、スクリーン４をはめ込む開口部が形成された前板５１と、この前板５１に対向配置された背板５２と、これら前板５１及び背板５２の下側及び上側にそれぞれ形成された底板５３及び天板５４とを備えている。天板５４の後方側は、双曲面ミラー２に沿って傾斜した傾斜板５５となっている。
【００１０】
図２は、光学ユニット１の構成要素の配列を示す図である。光学ユニット１は、光源１ａと、光源１ａからの出射光を投写レンズ１１（後述）の射出瞳内に入射させるための照明レンズ１ｂと、照明レンズ１ｂからの射出光（すなわち照明光）を画像情報に応じて変調するライトバルブ１０と、ライトバルブ１０により変調された光を上方に反射する折り返しミラー１ｃと、折り返しミラー１ｃからの反射光を投写する投写レンズ（投写光学系）１１とを備えている。光源１ａ及び照明レンズ１ｂは、照明光学系を構成している。光源１ａから折り返しミラー１ｃに至る各構成要素は、スクリーン４の水平軸と平行に、すなわちＸ方向に配列されている。また、投写レンズ１１の光軸３の方向は、Ｚ方向と略一致している。尚、図１においては、光源１ａから折り返しミラー１ｃまでの各構成要素については、図示を省略している。
【００１１】
尚、ここでは、ライトバルブ１０として、例えば透過型の液晶表示装置からなる透過型のライトバルブを用いているが、デジタル・マイクロミラー・デバイス（Ｄｉｇｉｔａｌ  Ｍｉｃｒｏ−ｍｉｒｒｏｒ  Ｄｅｖｉｃｅ）等からなる反射型のライトバルブを用いることも可能である。
【００１２】
図３は、双曲面ミラー２の構成及び作用を説明するための模式図である。双曲面ミラー２は、投写レンズ１１からの投写光をスクリーン４に向けて反射するものである。双曲面ミラー２は、中心軸Ｃを中心とした双曲面（いわゆる回転双曲面）Ｅの一部をなしている。投写レンズ１１からの投写光は、双曲面ミラー２により反射され、この双曲面ミラー２のパワーにより更に発散光となってスクリーン４に投写される。スクリーン４のＺ方向の画角（縦方向画角とする。）をω１とすると、双曲面ミラー２での発散作用のため、投写レンズ１１における縦方向画角ω２は、ω１よりも小さくなる。
【００１３】
光学ユニット１及び双曲面ミラー４を含む光学系を考えると、その瞳位置Ｐ１は、双曲面ミラー２の第１焦点と一致している。また、投写レンズ１１の瞳位置Ｐ２は、双曲面ミラー２の第２焦点と一致している。スクリーン４側から光線追跡すると、スクリーン４の各像高における主光線は、双曲面ミラー２の第１焦点（瞳位置Ｐ１）に向かい、その手前で双曲面ミラー２により反射され、双曲面の幾何学的性質により第２焦点（投写レンズ１１の瞳位置Ｐ２）に無収差で収束する。
【００１４】
尚、双曲面ミラー２の第１焦点（Ｐ１）及び第２焦点（Ｐ２）は、上記の中心軸Ｃ上に位置しているため、双曲面ミラー２の配置を決定することにより中心軸Ｃの方向を決定し、更に双曲面ミラー２のパワーを決定することにより中心軸Ｃ上の第２焦点（Ｐ２）の位置を決定する。双曲面ミラー２の配置及び第２焦点（Ｐ２）の位置は、光学ユニット１の投写光への干渉を避け、且つ、できるだけ縦方向画角ω１を大きくできるように決定する。
【００１５】
このように構成することで、縦方向画角ω１を大きくすることができ、その結果、スクリーン４から双曲面ミラー２の後端（最遠端）２１までのＹ方向の距離Ｄを小さくすることができる。この距離Ｄは、プロジェクタ装置の図示しない機構部分を除いた（すなわち光学的な構成要素のみを抽出した）奥行寸法を意味する。この奥行寸法Ｄを小さくすることにより、プロジェクタ装置の全体的な薄型化を実現することができる。スクリーン４のＺ方向寸法をＨとすると、プロジェクタ装置の奥行寸法Ｄは、Ｄ＜０．５Ｈとなるよう構成されている。
【００１６】
スクリーン４から瞳位置Ｐ１までの距離（投写距離）Ｔ、奥行寸法Ｄ及び縦方向画角ω１，ω２の具体的な数値例は、以下のとおりである。尚、投写距離Ｔ及び奥行寸法Ｄは、スクリーン１００のＺ方向寸法Ｈとの比で表す。スクリーン４のアスペクト比は４：３とする。
Ｔ    ０．５８Ｈ
Ｄ    ０．４９Ｈ
ω１  ８１．６°
ω２  ３２．９°
【００１７】
このように、光学ユニット１の投写光への干渉を回避しつつ、縦方向画角ω１を大きくすることで、プロジェクタ装置の奥行寸法Ｄを小さくすることができる。また、投写レンズ１１の縦方向画角ω２を比較的小さく抑えることができるため、投写レンズ１１を含む光学系の設計負担を軽減することができる。
【００１８】
図４は、実施の形態１に係るプロジェクタ装置により発生する歪曲を示す図である。実施の形態１では、双曲面ミラー２を用いることにより、図４に示すように上下に非対称な扇形状の歪曲が発生する。この歪曲は、投写レンズ１１でこれと逆の歪曲を発生させ、あるいは電気的処理によりライトバルブ１０からの出射光に逆の歪曲を発生させることにより補正することができる。
【００１９】
次に、実施の形態１の効果について、図５乃至図７に示す各比較例との対比により説明する。図５（Ａ）は、投写レンズＬにより直接スクリーン１００に画像を投写するよう構成した比較例を示す。図５（Ｂ）は、図５（Ａ）に示した比較例における縦方向画角ωと奥行き寸法Ｄとの関係を示す。尚、奥行き寸法Ｄは、スクリーン１００から、投写レンズＬを含む光学ユニット１０１の最遠端までの距離とする。図５（Ｂ）によれば、奥行き寸法Ｄは０．５８Ｈ〜１．２Ｈの範囲にあるが、縦方向画角ωが大きすぎると光学系（投写レンズＬ等）の設計が困難になるため、現実的に実現可能な奥行き寸法Ｄは０．８Ｈ以上となる。
【００２０】
図６（Ａ）及び（Ｂ）は、平面ミラー１０２を用いた比較例を示す。図６（Ａ）に示すように、縦方向画角ωを９０°以上とした場合、図示しない投写レンズの瞳位置Ｐ２を平面ミラー１０２からスクリーン１００までの光路中に位置させなければならず、投写レンズを含む光学ユニット（図示せず）の陰がスクリーン１００上に表示されてしまう。一方、図６（Ｂ）に示すように、縦方向画角ωを９０°未満にした場合、投写レンズを含む光学ユニットを光路外に配置することは可能になるが、奥行寸法Ｄ（スクリーン１００から平面ミラー１０２の後端１０２ａまでの距離）が大きくなる。例えば、縦方向画角ωを６０°とし、平面ミラー１０２の射出光軸に対する角度θを５５°とすると、奥行寸法Ｄは０．５Ｈとなる。
【００２１】
図７（Ａ）乃至（Ｃ）は、２枚の平面ミラー１０３，１０４を用いた比較例を示す。この比較例では、図７（Ａ）に示すように、図６（Ｂ）よりも画角ωを小さくすることで２枚の平面ミラー１０３，１０４の配置を可能にしているが、このような構成では、奥行寸法Ｄ（スクリーン１００から平面ミラー１０３の後端１０３ａまでの距離）が大きくなる。一方、図７（Ｂ）に示すように、図６（Ｂ）と同一の奥行寸法Ｄを実現しようとすると、平面ミラー１０２の射出光軸に対する角度θが大きくなるため、投写レンズ（図示せず）の瞳位置Ｐ２をスクリーン１００よりも前方に設けなければならず、光学系を構成することが事実上不可能になる。さらに、図７（Ｃ）に示すように、縦方向画角ωを大きくすることで奥行寸法Ｄを小さくすると、瞳位置Ｐ２が投写光の光路に接近し過ぎるため、投写レンズを含む光学ユニット（図示せず）の投写光への干渉が生じてしまう。このように、２枚の平面ミラー１０３，１０４を用いた場合も、奥行寸法Ｄの低減における効果は、一枚の平面ミラーを用いた場合（図６（Ｂ））と大差ない。
【００２２】
これに対し、実施の形態１によれば、図３に示したように双曲面ミラー２を用いることにより、縦方向画角ω１を６０°よりも大きくして奥行寸法Ｄを小さくすることができ、同時に、光学ユニット１の投写光への干渉を防止することができる。その結果、プロジェクタ装置の薄型化が可能になる。
【００２３】
以上説明したように、この実施の形態１によれば、双曲面ミラー２により投写レンズ１１からの投写光を反射してスクリーン４に投写するよう構成したので、縦方向画角ω１を大きくしつつ、投写光の光路から比較的離れた位置に瞳位置Ｐ２を位置させることができる。これにより、光学ユニット１の投写光への干渉を防止しつつ、奥行寸法Ｄを小さくしてプロジェクタ装置を薄型化することが可能になる。特に、奥行寸法Ｄがスクリーン４のＺ方向寸法Ｈに対し、Ｄ＜０．５Ｈの関係を満足するような、従来実現できなかった薄型のプロジェクタ装置を実現することができる。
【００２４】
さらに、双曲面ミラー２による発散作用を利用して縦方向画角ω１を大きくすることができるため、投写レンズ１１の縦方向画角ω２は比較的小さくて済み、その結果、投写レンズ１１を含む光学系の設計負担を軽減することができる。また、投写レンズ１１を含む光学ユニット１を双曲面ミラー２の下方に配置することにより、光学ユニット１が双曲面ミラー２よりも後方に突出しない構成が可能になり、プロジェクタ装置の薄型化に一層資することができる。
【００２５】
実施の形態２．
図８は、この発明の実施の形態２に係るプロジェクタ装置の側断面図である。図８において、実施の形態１と同一の構成要素には、同一の符号を付す。本実施の形態では、実施の形態１よりも縦方向画角ω１を大きくし、投写レンズ１１の光軸３をＺ方向に対して傾斜させ、投写レンズ１１の瞳位置Ｐ２をスクリーン４側にさらに接近させている。これにより、投写レンズ１１を含む光学ユニット１は、スクリーン４の下端４１の近傍に配置される。この実施の形態２においても、プロジェクタ装置の奥行寸法Ｄは、スクリーン４のＺ方向寸法Ｈに対し、Ｄ＜０．５Ｈの関係を満足する。
【００２６】
スクリーン４から瞳位置Ｐ１までの距離（投写距離）Ｔ、奥行寸法Ｄ、縦方向画角ω１及び投写レンズ１１の縦方向画角ω２の具体的な数値例を以下に示す。
Ｔ    ０．３８Ｈ
Ｄ    ０．３３Ｈ
ω１  １０５°
ω２  ２９．７°
【００２７】
以上説明したように、この実施の形態２によれば、実施の形態１よりもさらに縦方向画角ω１を大きくすることができ、従ってプロジェクタ装置の奥行寸法Ｄをさらに小さくし、より薄型のプロジェクタ装置を得ることができる。
【００２８】
実施の形態３．
図９は、本発明の実施の形態３に係るプロジェクタ装置の側断面図である。図９において、実施の形態１と同一の構成要素には、同一の符号を付す。実施の形態３に係るプロジェクタ装置は、それぞれがスクリーン４、双曲面ミラー２及び光学ユニット１を含む複数の筐体６を上下に積み重ねて構成される。各筐体６において、投写レンズ１１を含む光学ユニット１は、実施の形態１と同様、双曲面ミラー２の下方に配置されており、投写レンズ１１の光軸３の方向はＺ方向と略一致している。この実施の形態３においても、プロジェクタ装置の奥行寸法Ｄは、スクリーン４のＺ方向寸法Ｈに対し、Ｄ＜０．５Ｈの関係を満足する。
【００２９】
各筐体６は、前面がスクリーン４により構成されている。各筐体６は、さらに、スクリーン４に対向配置された背板６２、並びにこれらの下側及び上側にそれぞれ形成された底板６３及び天板６４を備えている。底板６１は、Ｙ方向における略中央部に段差６３ｃを有しており、この段差６３ｃよりも前側の部分６３ａが高く、後側の部分６３ｂが低くなるよう構成されている。段差６３ｃと後側部分６３ｂと背板６２とに囲まれた領域に、投写レンズ１１を含む光学ユニット１が収容されている。スクリーン４は、底板６３の前側部分６３ａと天板６４との間で保持されている。底板６３の前側部分６３ａの下方で且つ段差６３ｃの前方には、凹部Ｂが形成されている。
【００３０】
各筐体６の天板６４は、Ｙ方向における略中央部に段差６４ｃを有しており、この段差６４ｃよりも前側の部分６４ａが高く、後側の部分６４ｂが低くなるよう構成されている。天板６４の前側部分６４ａと段差６４ｃとスクリーン４の上部とにより、略台形状のＹＺ断面を有する突出部Ａが形成されている。
【００３１】
２つの筐体６を上下に積み重ねてプロジェクタ装置を構成するときには、下側の筐体６の突出部Ａが、上側の筐体６の凹部Ｂに収容される。これにより、上下の筐体６に取り付けられた２つのスクリーン４を、ほぼ隙間なく組み合わせることができる。なお、図１０では、筐体６を上下２段に積み重ねたものを示したが、筐体６を３段以上積み重ねてもよい。このように構成された筐体６を、必要な個数だけ上下、左右若しくは上下左右に組み合わせることにより、マルチビジョンを構成することができる。
【００３２】
以上説明したように、この実施の形態３によれば、筐体６のスクリーン４の下側に形成される凹部Ｂに、別の筐体６の上側に形成される突出部Ａが係合するよう構成したので、筐体６内の無駄なスペースを減少させ、複数のスクリーン４を隙間なく組み合わせたマルチビジョンを構成することできる。
【００３３】
実施の形態４．
図１０は、本発明の実施の形態４に係るプロジェクタ装置の側断面図である。図１０において、実施の形態１と同一の構成要素には、同一の符号を付す。実施の形態４では、投写レンズ１１の瞳位置Ｐ２を、光学ユニット１の投写光への干渉を生じない範囲で双曲面ミラー２に接近させ、且つ光学ユニット１をスクリーン４の下端４１よりも上方に配置している。投写レンズ１１の光軸３は、Ｚ方向に対して傾斜している。
【００３４】
すなわち、実施の形態４に係るプロジェクタ装置では、光学的な構成要素（光学ユニット１及び双曲面ミラー２）が、Ｚ方向においてスクリーン４の下端４１と上端４２との間に位置している。尚、筐体５の形状は実施の形態１とほぼ同様だが、筐体５の前面はスクリーン４により構成されている。この実施の形態４においても、プロジェクタ装置の奥行寸法Ｄは、スクリーン４のＺ方向寸法Ｈに対し、Ｄ＜０．５Ｈの関係を満足する。
【００３５】
以上説明したように、この実施の形態４によれば、正面（すなわち、図中矢印Ｆで示す方向）から見るとスクリーン４以外のものが殆ど見えない、非常にコンパクトな構成のプロジェクタ装置を実現することができる。また、この実施の形態４における筐体５を上下及び左右に複数組み合わせると、それぞれの筐体５に取り付けられたスクリーン４をほぼ隙間なく組み合わせることができるため、マルチビジョンを構成することが可能になる。
【００３６】
実施の形態５．
図１１は、本発明の実施の形態５に係るプロジェクタ装置の側断面図である。図１２は、実施の形態５に係るプロジェクタ装置を後方から（図１１における矢印Ｒ方向から）見た概略図である。図１１及び図１２において、実施の形態１と同一の構成要素には、同一の符号を付す。実施の形態５では、図１２に示すように、光学ユニット１が、双曲面ミラー２の下方に、投写レンズ１１の光軸がＸ方向を向くように配置されている。投写レンズ１１の射出側（図１２中左側）には、平面ミラーよりなる折り返しミラー７が設けられている。折り返しミラー７は、投写レンズ１１からの投写光を双曲面ミラー２に向けて反射し、その光路を約９０°折り曲げるものである。
【００３７】
図１１に示すように、光学ユニット１は、スクリーン４の下端４１よりも上方に配置されている。これにより、プロジェクタ装置の光学的な構成要素（双曲面ミラー２、折り返しミラー７及び光学ユニット１）は、Ｚ方向においてスクリーン４の下端４１と上端４２との間に位置することになる。また、折り返しミラー７及び光学ユニット１は、投写光との干渉を生じない範囲でスクリーン４に接近して配置されている。この実施の形態５においても、プロジェクタ装置の奥行寸法Ｄは、スクリーン４のＺ方向寸法Ｈに対し、Ｄ＜０．５Ｈの関係を満足する。
【００３８】
以上説明したように、この実施の形態５によれば、折り返しミラー７を用いることにより、プロジェクタ装置の光学的な構成要素をＺ方向においてスクリーン４の下端４１と上端４２との間に収容することができるため、正面（すなわち、図１１中矢印Ｆで示す方向）から見ると、スクリーン４以外のものが殆ど見えない、非常にコンパクトな構成のプロジェクタ装置が得られる。加えて、実施の形態４に比較して縦方向画角ω１を大きくすることができるため、プロジェクタ装置の一層の薄型化を実現することができる。
【００３９】
さらに、この実施の形態５における筐体５を上下及び左右に複数組み合わせると、それぞれの筐体５に取り付けられたスクリーン４をほぼ隙間なく組み合わせることができるため、マルチビジョンを構成することができる。
【００４０】
なお、上述した各実施の形態では、スクリーン４への投写光は、スクリーン４に対して直交する方向に投写されていたが、スクリーン４に対して傾斜した方向に投写光が投写されるようにしてもよい。また、光学ユニット１の構成は、図２に示した構成に限らず、投写レンズ１１の代わりにミラー等を用いてもよい。
【００４１】
また、上記各実施の形態では、説明の便宜上、「上」及び「下」という表現を用いたが、これはプロジェクタ装置の使用時における向きを限定するものではない。すなわち、各実施の形態に係るプロジェクタ装置は、どのような向きで使用してもよい。
【００４２】
【発明の効果】
以上説明したように、この発明は、双曲面状の反射ミラーにより投写光を反射してスクリーンに投写するよう構成したので、光学ユニットの投写光への干渉を回避しつつ画角を大きくし、これによりプロジェクタ装置の奥行寸法を小さくすることができる。その結果、より薄型のプロジェクタ装置を実現することができる。また、反射ミラーにおける発散作用を利用して画角を大きくすることができるため、投写光学系における画角が比較的小さくて済み、その結果、投写光学系の設計負担を軽減することができる。
【図面の簡単な説明】
【図１】この発明の実施の形態１に係るプロジェクタ装置の側断面図である。
【図２】この発明の実施の形態１に係るプロジェクタ装置の光学ユニットの一例を示す断面図である。
【図３】この発明の実施の形態１に係るプロジェクタ装置の双曲面ミラーの形状を示す断面図である。
【図４】この発明の実施の形態１において生じる歪曲の例を模式的に示した図である。
【図５】この発明の実施の形態１に対する比較例であり、ミラーを用いない構成例を説明するための模式図である。
【図６】この発明の実施の形態１に対する比較例であり、１枚の平面ミラーを用いた構成例を説明するための模式図である。
【図７】この発明の実施の形態１に対する比較例であり、２枚の平面ミラーを用いた構成例を説明するための模式図である。
【図８】この発明の実施の形態２に係るプロジェクタ装置の側断面図である。
【図９】この発明の実施の形態３に係るプロジェクタ装置の側断面図である。
【図１０】この発明の実施の形態４に係るプロジェクタ装置の側断面図である。
【図１１】この発明の実施の形態５に係るプロジェクタ装置の側断面図である。
【図１２】この発明の実施の形態５に係るプロジェクタ装置を後方から見た概略図である。
【符号の説明】
１  光学ユニット、  ２  双曲面ミラー、  ３  光軸、  ４  スクリーン、  ５，６  筐体、  ７  折り返しミラー、  １０  ライトバルブ、  １１  投写レンズ、  ４１  下端、  ４２  上端、  ５１，６１  前板、  ５２，６２  底板、  ５３，６３  背板、  ５４，６４  天板。
【図１】
2004271934.tif 000003
【図２】
2004271934.tif 000004
【図３】
2004271934.tif 000005
【図４】
2004271934.tif 000006
【図５】
2004271934.tif 000007
【図６】
2004271934.tif 000008
【図７】
2004271934.tif 000009
【図８】
2004271934.tif 000010
【図９】
2004271934.tif 000011
【図１０】
2004271934.tif 000012
【図１１】
2004271934.tif 000013
【図１２】
2004271934.tif 000014